(57)【要約】【課題】ＨＯ測定を開始するための閾値を端末またはユーザ機器（ＵＥ）のパフォーマンスに基づいて調整するように構成された方法および装置。【解決手段】ＨＯ測定を開始するためそしてＨＯを実行するための閾値は、ネットワークによって決定されてよい。これらの手続きを進めるかどうかを決定する前に、閾値は、実際のＵＥパフォーマンスに基づいて調整される。この調整は、閾値の設定に使用されたスタンダードレシーバと比べたアドバンスドレシーバの有効な信号対妨害比（ＳＩＲ）改善を得るデシベル表示でのオフセットを利用することによって達成される。オフセットは、特に、使用されるレシーバのタイプ、レシーバアンテナの数、マルチパスチャネルプロファイル、アクティブ無線リンクの数、およびＵＥ内において現在アクティブであるサービス／接続モードに依存する。【選択図】図３
2010505312.tif 000002
【特許請求の範囲】
【請求項１】
ネットワーク間ハンドオーバ（ＨＯ）をユーザ機器（ＵＥ）によって最適化するための方法であって、
ＨＯ測定を開始するためにネットワークによって使用される閾値τ（ｅ）を、実際のＵＥパフォーマンスに基づいて調整するステップを含む方法。
【請求項２】
前記調整するステップは、閾値の設定に使用されたスタンダードレシーバと比べたアドバンスドレシーバの有効な信号対妨害比（ＳＩＲ）改善を得るデシベル表示でのオフセットを利用することによって達成される、請求項１に記載の方法。
【請求項３】
前記オフセットは、レシーバのタイプ、レシーバアンテナの数、マルチパスチャネルプロファイル、アクティブ無線リンクの数、およびＵＥ内において現在アクティブであるサービス／接続モードからなる群から選択される少なくとも１つのパラメータに基づいて算出される、請求項２に記載の方法。
【請求項４】
ＷＣＤＭＡネットワークからＧＳＭネットワークへのＨＯのプロセスにおいて使用される、請求項１に記載の方法。
【請求項５】
ＧＳＭネットワークからＷＣＤＭＡネットワークへのＨＯのプロセスにおいて使用される、請求項１に記載の方法。
【請求項６】
前記閾値を調整するステップは、ＨＯ基準として共通パイロットチャネル（ＣＰＩＣＨ）受信信号コード電力（ＲＳＣＰ）を使用する、請求項１に記載の方法。
【請求項７】
前記閾値を調整するステップは、ＨＯ基準としてＥｃ／Ｉｏ値を使用する、請求項１に記載の方法。
【請求項８】
前記ネットワークが、ＨＯ関連イベントを定めるために使用される前記閾値を送信するステップをさらに含む、請求項１に記載の方法。
【請求項９】
着目される任意のイベントｅ∈Ｅについて、条件：
Ｆ（ｅ，τ（ｅ），γ（ｔ））＝１
が満たされるかどうかを前記ＵＥによってチェックするステップをさらに含み、
Ｆ（）は、規定にしたがって前記イベントをトリガするための命令のセットであり、時刻ｔにおける最新のＵＥ測定は、γ（ｔ）として示され、イベントｅのための前記閾値は、τ（ｅ）として示される、請求項１に記載の方法。
【請求項１０】
前記イベントｅは、２ｄであり、
【数１】
2010505312.tif 000004
前記ＵＥは、最も近いＧＳＭセルについて、ＧＳＭ  ＲＳＳＩ（ＲＸＬＥＶ）を測定するように命令される、請求項９に記載の方法。
【請求項１１】
イベントｅが確立される場合、前記ＵＥによって、イベントｅを知らせるメッセージを前記ネットワークに送信するステップをさらに含む、請求項９に記載の方法。
【請求項１２】
前記ネットワークによって、さらなる測定を開始させるためにさらなる命令でＵＥに応答するステップをさらに含む、請求項１１に記載の方法。
【請求項１３】
前記ネットワークによって、ＨＯを実施させるためにさらなる命令でＵＥに応答するステップをさらに含む、請求項１１に記載の方法。
【請求項１４】
前記閾値τ（ｅ）は、ＲＡＫＥレシーバのパフォーマンスに基づく、請求項９に記載の方法。
【請求項１５】
前記ＵＥによって、Ｅの中の任意のイベントがトリガされるかどうかを見分ける判定プロセスに補正項を導入することによって、改善したレシーバのパフォーマンスを組み入れるステップ：
Ｆ（ｅ，τ（ｅ）−Ｄ，γ（ｔ））＝１
をさらに含む、請求項１４に記載の方法。
【請求項１６】
現行のレシーバおよびチャネルのカテゴリｃ（ｔ）を定めて、表検索を実施し、対応する平均ＳＩＲ利得を見つけることによって、Ｄを決定するステップ：
Ｄ＝ΔＳＩＲ（ｃ（ｔ））
をさらに含む、請求項１５に記載の方法。
【請求項１７】
チャネル推定値および結合加重が得られる場合、２つの瞬時ＳＩＲ値、すなわち現行の有効レシーバＳＩＲであるＳＩＲ（ｔ）と追加のＲＡＫＥレシーバＳＩＲであるＳＩＲＲＡＫＥ（ｔ）とを算出するステップと、
補正項を、
Ｄ＝ＳＩＲ（ｔ）−ＳＩＲＲＡＫＥ（ｔ）
として決定するステップと、
をさらに含む、請求項１５に記載の方法。
【請求項１８】
ユーザ機器によって、ネットワーク間ハンドオーバ（ＨＯ）を最適化するための方法であって、
前記ユーザ機器（ＵＥ）によって、ＵＥ測定結果γ（ｔ）をネットワークに送信するステップと、
着目される任意のイベントｅ∈Ｅについて、条件：
Ｆ（ｅ，τ（ｅ），γ（ｔ））＝１
が満たされるかどうかをネットワークによって評価するステップと、
を含み、
Ｆ（）は、規定にしたがってイベントをトリガするための命令のセットであり、時刻ｔにおける最新のＵＥ測定は、γ（ｔ）として示され、イベントｅのための閾値は、τ（ｅ）として示される、方法。
【請求項１９】
前記ＵＥが、受信信号コード電力（ＲＳＣＰ）値をその報告前に適切に変更するステップをさらに含む、請求項１８に記載の方法。
【請求項２０】
前記ＵＥによって、γｅｆｆ（ｔ）＝γ（ｔ）＋Ｄを報告するステップであって、Ｄは、Ｄ＝ΔＳＩＲ（ｃ（ｔ））またはＤ＝ＳＩＲ（ｔ）−ＳＩＲＲＡＫＥ（ｔ）から選択されるステップをさらに含む、請求項１９に記載の方法。
【請求項２１】
ネットワーク間ハンドオーバを最適化するためのユーザ機器（ＵＥ）内の装置であって、
ベースバンドプロセッサから測定γ（ｔ）、およびネットワークから閾値τ（ｅ）を受信するように構成され、着目される任意のイベントｅ∈Ｅについて条件が満たされるかどうかをチェックするように構成されたＬ３判定プロセッサを備え、
イベントｅが確立される場合、Ｌ３判定プロセッサは、前記イベントについてのメッセージをＵＥのモジュレータおよびフロントエンドトランスミッタを通じてネットワークに送信し、このようなイベントｅを知らせるように構成される、装置。
【請求項２２】
前記Ｌ３判定プロセッサに結合され、Ｅの中の任意のイベントがトリガされるかどうかを見分けることによるＬ３判定プロセッサの判定プロセスに補正項を導入するように構成された制御ユニットをさらに備える、請求項２１に記載の装置。
【請求項２３】
前記Ｌ３判定プロセッサに伝えられるＤは、現行のレシーバおよびチャネルのカテゴリｃ（ｔ）を定めて表検索を実施し、対応する平均ＳＩＲ利得を見つけることによって、決定することができる、請求項２１に記載の装置。
【発明の詳細な説明】
【技術分野】
【０００１】
背景
【０００２】
本発明は、セルラ式電気通信ネットワークに関する。具体的、かつ非限定的には、本発明は、アドバンスドレシーバを使用する端末、すなわちユーザ機器（ＵＥ）のためのネットワーク間ハンドオーバ（ＨＯ）の最適化のためのシステムおよび方法に関する。
【背景技術】
【０００３】
代表的なセルラ式モバイル通信ネットワーク（ネットワーク）は、多くのセルからなり、各セルは、端末すなわちＵＥが、限られた地理的地域にわたってネットワークとの接続を維持することを可能にする。ＵＥは、ネットワークのサービス範囲とされている領域内を移動する各瞬時において、「最小コスト」で接続を提供することができるセルに無線リンクを通じて接続されている。コストは、無線リンクを通じて伝送するために必要とされる信号電力に関係していることが多い。サービスを提供しているセルは、ＵＥに物理的に最も近いセルであることが多いが、必ずしもそうとは限らない。時間の経過とともに、ネットワークは、１つのセルから別のセルへとＵＥの接続を移すために、ＨＯ手続きを実施する。一部のシステムでは、ＵＥは、いくつかの無線リンクを並行して使用し、いくつかのセルにわたって同時に接続を維持することができる。これは、ＳＨＯと称される。
【０００４】
多くの場合、異なるオペレータに管理されている可能性があるいくつかの異なるネットワークが、所定の地理的領域内においてアクティブである。一部のネットワークは、その領域全体を実質的に完全に（例えば１００％）サービス範囲にしてはおらず、特定のネットワークに接続されたＵＥは、一部の場所においてその接続を失う可能性がある。不都合なユーザ体験（例えば通話またはデータ接続の中断）を回避するため、最初のネットワークは、その場所をサービス範囲にすることができる別のネットワークへと途切れなく切り替えて接続を継続させる代替の方法を手配することができる。これは、（１）同じオペレータに属する別のネットワークまたは（２）別のオペレータに属するネットワークを使用して達成されてよく、後者の場合、ＵＥは、その他方のオペレータへと「ローミング」する。
【０００５】
（１）の場合の例では、オペレータは、ＷＣＤＭＡネットワークおよびＧＳＭネットワークの両方で運営するオペレータであり、ＷＣＤＭＡによるサービスが不十分になると、ＷＣＤＭＡユーザをＧＳＭに切り替える。アクセス技術の変更は、ＨＯプロセスでなされるので、これは、ＩＲＡＴ  ＨＯと称される。１つのＲＡＴにおいて差し迫る接続の損失が、オペレータがＩＲＡＴ  ＨＯを強制することを選択する唯一の理由ではない。この選択は、異なるＲＡＴ間でユーザを再分配することによってネットワークの総容量が向上される場合にもなされてよい。
【０００６】
（２）の場合の例では、オペレータは、ＷＣＤＭＡネットワークのみを所有しており、サービスが不十分になると、ＵＥに対し、契約を交わした別のオペレータのネットワークへとローミングするように指示する。これは、新規のオペレータが、運営の初日から１００％をサービス範囲にする必要なくネットワークを立ち上げるための高コスト効率の方法である。しかしながら、最初のオペレータは、別のネットワークへのローミング後は通話からの収益を失う。
【０００７】
別のネットワークへのＨＯは、ＵＥによって測定された有用信号強度が特定の閾値を下回る場合にトリガされる。この閾値は、ネットワークからＵＥへと継続的に通知されてよい。ネットワークは、現行のネットワーク負荷に関する情報を使用するとともにＵＥにおいてスタンダードレシーバを想定し、ＢＬＥＲ予測値またはスループットパフォーマンスに基づいて、ＵＥにおけるＳＩＲに応じて動的に閾値を調整する。ＷＣＤＭＡにおいて、スタンダードレシーバは、シングルアンテナＲＡＫＥレシーバである。
【０００８】
ＩＲＡＴ  ＨＯ手順と同様に、ＷＣＤＭＡ  ＲＲＭ手続きは、当業者に一般的に知られている。
【０００９】
経験済みＢＬＥＲ、スループット、またはネットワークによって消費された平均伝送電力に関するＵＥレシーバのパフォーマンス（性能）は、さらなるアドバンスドレシーバ構造の利用によって大幅に向上（改善）させることができる。例えば、デュアルアンテナチェーンを使用し、および／または干渉抑制を利用するＷＣＤＭＡ  ＵＥは、経験済みＢＬＥＲ、スループット、およびネットワークによって消費された平均伝送電力をかなり向上させることがわかっている。これは、ＵＥがＷＣＤＭＡネットワークの標準的なサービス範囲内にある間に、パフォーマンスが向上されたことを意味する。しかしながら、パフォーマンスを制限する（またはより極端な場合は接続を終了させる）信号レベルの閾値が低く、セルの中心からさらに離れても対応可能であると考えられるので、アドバンスドＵＥレシーバは、上記に加えて、サービス範囲自体を拡大することも可能であると考えられる。
【００１０】
既存のＨＯ管理解決策の主な欠点は、別のネットワークへのＨＯを実施するための判定が、信号強度の測定値と、向上した実際のＵＥパフォーマンスを考慮していない固定閾値とを比較した結果に基づくことにある。その結果、アドバンスドレシーバをともなうＵＥは、ネットワークから不必要に戻され、これは、ネットワークリソースを無駄遣いし、オペレータの収益を制限し、そして恐らくはユーザ・エクスペリエンス（user experience）を低下させる。また、各ＨＯ手続きは、使用される通知リソースをベースにしたコストの追加と、並行して測定を実施すること（例えばＷＣＤＭＡにおける圧縮モード）に起因する潜在的なＵＥパフォーマンスの低下とを示している。
【００１１】
上述した欠点は、オペレータによって直面されてきた。固定閾値を下回る任意のユーザに、ローミングによってネットワークから外れるように命じる代わりに、アドバンスドレシーバをともなうＵＥの接続を、それらの実際のパフォーマンス限界まで維持することができれば、ローミングの発生回数を大幅に減らすことができるであろう。これは、改良された端末をともなうユーザにとって、有効サービス範囲の拡大を意味しており、ローミングによって外れたユーザが、通常、最初のネットワークに自動的に戻らないので、これは、オペレータにとっての収入の増大も意味する。
【００１２】
このため、固定ＨＯ閾値を使用する代わりに、実際のＵＥレシーバのパフォーマンスを考慮するＨＯ判定システムが望まれている。出願人の関連出願（２００５年１１月２９日に出願された「Cell Selection in HSDPA Communication Systems」と題された米国特許出願第１１／２８９，００１号明細書）では、ＷＣＤＭＡにおけるＥｃ／Ｉｏのような、ＨＳＤＰＡセル選択を良くするために、ＨＯ測定を調整する概念が記載されている。当該分野において知られるように、パワーシェアリング（power sharing）は、ＣＤＭＡシステムにおけるマルチユーザアクセスの基盤である。このようなシステムでは、サービス範囲テストは、ｄＢで表される信号（ＲＳＣＰ）対干渉（ＲＳＳＩ）比、すなわちＥｃ／Ｉｏを測定する。Ｅｃ／Ｉｏは、パイロット信号のワンチップ区間内における信号エネルギ対干渉プラス雑音のパワースペクトルの比である。上記の開示は、ＰＤＰはもちろんセル負荷の推定値も考慮に入れることによって、Ｅｃ／Ｉｏを調整し、ＨＳＤＰＡパフォーマンスをよりよく反映させることが記載されている。しかしながら、この概念は、基本的に、ＨＳＤＰＡ周波数間ハンドオーバにのみ適しているため、本明細書に開示されるような、アドバンスドレシーバを使用してＩＲＡＴ／ネットワーク間ＨＯを促進するようには構成されていない。
【００１３】
アドバンスドレシーバを使用してＩＲＡＴ／ネットワーク間ＨＯを促進するように構成され、先行技術の欠点を克服するシステムおよび方法を有することが望ましいと考えられる。本発明は、このようなシステムおよび方法を提供する。
【発明の概要】
【課題を解決するための手段】
【００１４】
発明の簡単な概要
【００１５】
本発明は、ＨＯ測定を開始するための閾値を実際のＵＥパフォーマンスに基づいて調整するように構成されたシステムおよび方法である。ＨＯ測定を開始するための、そしてＨＯを実行するための閾値は、ネットワークによって決定される。これらの手続きを進めるかどうかを決定する前に、閾値は、実際のＵＥパフォーマンスに基づいて調整される。この調整は、閾値の設定に使用されたスタンダードレシーバと比べてアドバンスドレシーバの有効な信号対妨害比（ＳＩＲ）改善を得るデシベル表示でのオフセットを利用することによって達成される。オフセットは、特に、使用されるレシーバのタイプ、レシーバアンテナの数、マルチパスチャネルプロファイル、アクティブ無線リンクの数、およびＵＥ内において現在アクティブであるサービス／接続モードに依存する。
【００１６】
以下では、図面に例示された代表的な実施形態を参照にして、発明の説明が行われる。
【図面の簡単な説明】
【００１７】
図面の簡単な説明
【図１】閾値の例をともなうＨＯプロセスを比較するグラフであり、ＨＯ基準としてＣＰＩＣＨ  ＲＳＣＰを使用している。
【図２】本発明の第１の実施形態にしたがったＵＥについてのブロック図である。
【図３】本発明の第１の実施形態の方法のフローチャートである。
【図４】本発明の第２の実施形態における一連の動作を例示している。
【発明を実施するための形態】
【００１８】
発明の詳細な説明
本発明の動作をより完全に理解するために、ＷＣＤＭＡにおけるアドバンスドレシーバの動作について説明する。３ＧＰＰにおいてＷＣＤＭＡ技術が最初に標準化された当初より、標準的なレシーバ構造は、フェージングマルチパス伝搬チャネルから得られる信号エネルギを効率良く収集および利用することができるシングルアンテナＲＡＫＥレシーバであった。これは、各マルチパス成分を、対応するマルチパス成分のパス遅延に等しくなるように拡散コードの参照コピーを遅延されたデスプレッダ（despreader）に割り当てることによって、達成される。デスプレッダ（フィンガ）の出力は、次いで、コヒーレントに結合されて、シンボル推定値を生成する。ＲＡＫＥレシーバは、全てのパスについて、マルチパス遅延に関する情報およびチャネルインパルス応答の値を必要とする。ＲＡＫＥレシーバのパフォーマンスを測る正しい尺度は、結合後のＳＮＲであり、これは、全てのパスからの信号エネルギが用いられる場合に最大になる。ＲＡＫＥ結合では、各フィンガによってみられる信号の障害（雑音および干渉）成分が無相関であることを暗黙の前提にしており、この場合のＲＡＫＥレシーバは、最適な線形レシーバである。
【００１９】
しかしながら、シングルアンテナＲＡＫＥレシーバのパフォーマンスは、数々の要因によって制限される。パフォーマンスを制限する1つの側面は、チャネルのフェージング特性であり、とりわけ、わずかなマルチパス成分しかないチャネル上におけるフェージング特性である。第２に、トランスミッタおよびレシーバのパルス成形効果ゆえに、または伝搬チャネル内における多くのマルチパス成分の結合効果ゆえに、障害信号間にかなりの相関がありえることである。
【００２０】
ＲＡＫＥレシーバのパフォーマンスを改善させるために、様々なアドバンスドタイプのレシーバが開発されてきた。このようなアドバンスドタイプのレシーバの１つは、デュアルアンテナレシーバであり、ここでは、信号は、２つの個別のアンテナ、すなわちＲＦ処理ブランチおよびフロントエンド処理ブランチを通じて受信される。２つのブランチが（電気的かつ空間的に）十分に隔てられている場合、デュアルアンテナＲＡＫＥレシーバ（ＲＡＫＥ２）は、アレイ利得（より大きな信号エネルギが受信される）およびダイバーシティ利得（深いフェージングの可能性が小さくなる）ゆえに、向上したパフォーマンスを呈する。その結果、レシーバのＢＬＥＲパフォーマンスが改善される。
【００２１】
もう１つのアドバンスドタイプのレシーバは、等化（equalization）を組み入れている（例えばＬＭＭＳＥ  ＣＥ、ＧＲＡＫＥ）。このようなレシーバは、障害の相関を考慮に入れ、かなりの程度まで、チャネルによって引き起こされる直交性の損失を打ち消す。これは、不要な信号成分を効果的に白くして、その電力を低減させ、結合後のＳＮＲを向上させる。
【００２２】
ＲＡＫＥ２レシーバおよびＧＲＡＫＥレシーバは、結合されてもよく、その結果得られる構造（ＧＲＡＫＥ２）は、ダイバーシティと干渉抑制とを最適な形で結合したレシーバであり、パフォーマンスをさらに改善させる。代表的なシナリオでは、ＧＲＡＫＥ２は、ＷＣＤＭＡ用の最適な線形レシーバである。レシーバのパフォーマンスは、例えば、関心のあるデータシンボルの検出前に既知の干渉信号成分を差し引くことによる干渉消去などの非線形演算を適用することによって、さらに改善させることができる。
【００２３】
アドバンスドレシーバのタイプによらず、ＲＡＫＥレシーバと比べたそのパフォーマンスの優位性は、結果として生じる平均的複合ＳＩＲの改善（ＡＳＩＲ）によって特徴付けることができる。この改善は、レシーバの構成およびシナリオごとに異なり、例えば、レシーバのタイプ、使用されるアンテナの数、マルチパスチャネルプロファイル、ＵＥがＳＨＯにあるかどうか、現在起動されているＲＡＢ／サービスなどに依存する。しかしながら、管理可能なカテゴリセットＣ＝｛ｃ１，．．．，ｃＮ｝にシナリオを分類することによって、例えば、測定またはシミュレーションを通じて各カテゴリについてのＳＩＲ利得ΔＳＩＲ（ｃｉ）を決定し、予め表にしておくことが可能である。
【００２４】
上記のアドバンスドタイプのレシーバが動作する環境を説明するために、ＷＣＤＭＡからＧＳＭへのＨＯプロセスについて考える。アクティブセットの中の、各セルについてのＷＣＤＭＡ  ＣＰＩＣＨ  ＲＳＣＰおよびＳＮＲは、ＵＥによって絶えず監視される。測定は、７０ｍｓごとに更新され、ネットワークに報告することができる。ネットワークは、異なるＨＯ関連アクティビティが開始されるべきときのために閾値を維持する。次いで、報告された値が関連の閾値と比較され、ＵＥにおいて受信された信号レベルが弱くなりすぎていることが測定によって示された場合は、ＩＲＡＴ測定を開始する判定がなされる。判定は、ＵＥまたはネットワークによってなされてよく、後者の場合、これは、ＲＲＣレベル「測定制御」メッセージを通じてＵＥに伝えることができる。この例では、「イベント２ｄ」がトリガされ、ＵＥは、最も近いＧＳＭセルについて、ＧＳＭ  ＲＳＳＩ（ＲＸＬＥＶ）の測定を始める。
【００２５】
別の周波数での測定を実施するためには、ＵＥは、ＣＭに入り、それによって、ＢＳからの全ての情報が、より短い時間間隔で伝送され、その時間の何割か（例えば５０％）は、ＵＥによって、別の周波数への再調整および測定の実施のために使用することができる。これらの結果もやはり、次いで、「測定報告」メッセージによってネットワークに報告される。一般に、ＵＥは、ひとたび周波数間測定の実施を命じられると、（ａ）信号品質が十分に向上し、差し迫る接続の損失がなくなる（「イベント２ｆ」）まで、または（ｂ）他のネットワークのほうが現在のネットワークよりも優れた信号品質を有するとみなされ（「イベント３ａ」）、そしてＨＯが実施されるまで、ＣＭにとどまる。
【００２６】
閾値の例をともなうＨＯプロセスが、ＨＯ基準としてＣＰＩＣＨ  ＲＳＣＰを使用して、図１のグラフ１００に示されている。図に示されるように、本発明の第１の実施形態では、ネットワークは、ブロードキャストを行い、ＵＥは、ＨＯ関連イベントを定めるために使用される閾値に関する情報を有する。時刻ｔにおける最新のＵＥ測定は、γ（ｔ）として示され、イベントｅのための閾値は、τ（ｅ）として示される（全てのＳＩＲ値は、ｄＢで与えられる）。次いで、ＵＥは、着目される任意のイベントｅ∈Ｅについて、条件：
Ｆ（ｅ，τ（ｅ），γ（ｔ））＝１
が満たされるかどうかをチェックする。ここで、Ｆ（）は、規定にしたがってイベントをトリガするための基準のセットである。このような命令の一例として、イベント２ｄが挙げられる。
【数１】
2010505312.tif 000003
【００２７】
イベントｅが確立される場合、ＵＥは、そのイベントを知らせるメッセージをネットワークに送信する。次いで、ネットワークは、例えば、さらなる測定を始めたり、ＨＯを実施するなどのために、さらなる命令でＵＥに応答することができる。
【００２８】
前述のように、閾値τ（ｅ）は、一般に、ＲＡＫＥレシーバのパフォーマンスに基づいている。本発明の第１の実施形態では、ＵＥは、Ｅの中の任意のイベントがトリガされるかどうかを見分ける判定プロセスに補正項を導入することによって、向上したレシーバのパフォーマンスを考慮する。
Ｆ（ｅ，τ（ｅ）−Ｄ，γ（ｔ））＝１
【００２９】
一実施形態において、Ｄは、現行のレシーバおよびチャネルのカテゴリｃ（ｔ）を定めて表検索を実施し、対応する平均ＳＩＲ利得を見つけることによって、決定することができる。
Ｄ＝ΔＳＩＲ（ｃ（ｔ））
【００３０】
別の一実施形態では、ひとたびチャネル推定値および結合加重（combining weights）が得られたら、２つの瞬時ＳＩＲ値を算出してよく、現行の有効レシーバＳＩＲ、すなわち（通常、一般的なレシーバ動作の一部としてなされる）ＳＩＲ（ｔ）の算出と、複雑度の低い演算である追加のＲＡＫＥレシーバＳＩＲ、すなわちＳＩＲＲＡＫＥ（ｔ）の算出とが行われる。すると、補正項は、
Ｄ＝ＳＩＲ（ｔ）−ＳＩＲＲＡＫＥ（ｔ）
として決定される。
【００３１】
本発明の第１の実施形態によるＵＥのブロック図が、図２に例示されている。図に示されるように、最新のＵＥ測定γ（ｔ）が、ブロックのＬ３判定プロセッサ２０１において受信される。プロセッサ２０１は、ネットワークからτ（ｅ）も受信する。ＵＥ測定γ（ｔ）は、ベースバンドプロセッサ２０６から、より正確にはその一部であるパスサーチャ（path searcher）２０５から供給される。その他の実装形態では、γ（ｔ）は、その他の何らかのベースバンド処理ステージから供給されてもよい。Ｌ３判定プロセッサ２０１は、上述のように、着目される任意のイベントｅ∈Ｅについて、条件が満たされるかどうかをチェックする。イベントｅが確立される場合、ＵＥは、そのイベントを知らせるメッセージをモジュレータ(modulator)２０２およびフロントエンドトランスミッタ(front end transmitter)２０３を通じてネットワークに送信する。次いで、ネットワークは、例えば、さらなる測定を開始したり、ＨＯを実施するなどのために、さらなる命令でＵＥに応答することができる。
【００３２】
制御ユニット２０４は、Ｅの中の任意のイベントがトリガされるかどうかを見分けるＬ３判定プロセッサ２０１の判定プロセスに補正項を導入することによって、向上したレシーバのパフォーマンスを考慮する。一実施形態において、Ｌ３判定プロセッサに伝わるＤは、式３において上述されたように、現行のレシーバおよびチャネルのカテゴリｃ（ｔ）を定めて表検索を実施し、対応する平均ＳＩＲ利得を見つけることによって、決定することができる。
【００３３】
図２のＵＥは、より具体的にはＬ３判定プロセッサは、図３のフローチャート３００に見られる一連の動作にしたがって動作する。図３のフローチャートは、着目されるＥの中の全てのイベントについてチェックを行う。プロセスは、ステップ３０１から開始する。ステップ３０２において、ＵＥは、ＨＯ関連イベントを定めるために使用される閾値をネットワークから受信する。イベントｅのための閾値は、τ（ｅ）として示される。ステップ３０３において、γ（ｔ）として示される時刻ｔにおける測定が得られる。ステップ３０４では、上述のように、Ｄが決定される。次いで、ステップ３０５において、着目される第１のイベントが設定される。ステップ３０６では、ＵＥは、着目される任意のイベントｅ∈Ｅについて、
Ｆ（ｅ，τ（ｅ），γ（ｔ））＝１
に従って条件が満たされるかどうかをチェックする。
【００３４】
イベントｅが確立される場合、ＵＥは、ステップ３０７において、そのイベントを知らせるメッセージをネットワークに送信する。次いで、ネットワークは、ステップ３０８において、例えば、さらなる測定を開始したり、ＨＯを実施するなどのために、さらなる命令でＵＥに応答することができる。さらにほかのイベントがチェックされる場合は、ステップ３０９において次のイベントが設定され、次いで、ステップ３０６においてチェックされる。プロセスは、ステップ３１０において終了する。
【００３５】
なお、後続の任意のＨＯ関連アクションは、ＵＥに送信される個別のコマンドによってＢＳによって命令されるものであり、フローチャート内には示されていないことに留意されたい。
【００３６】
本発明の第２の実施形態では、閾値τ（ｅ）は、ブロードキャストされず、ＵＥは、現行の閾値に関する情報を有さない。この実施形態では、ＵＥは、ＵＥ測定結果γ（ｔ）をネットワークに送信し、ネットワークは、すると、Ｅの中のイベントについて、関連の条件の評価を行う。換言すると、式１で表された判定プロセスは、ＵＥではなくネットワークの中で起きる。
【００３７】
本発明の第２の実施形態では、ＵＥは、ＲＳＣＰ値をその報告前に適切に変更することによって、向上したレシーバのパフォーマンスを組み入れる。すなわち、γ（ｔ）の実際の値を報告する代わりに、
γｅｆｆ（ｔ）＝γ（ｔ）＋Ｄ
を報告する。
【００３８】
補正項Ｄは、式３または式４にあるように決定される。
【００３９】
本発明の第２の実施形態を実現するＵＥについてのブロック図は、図２に示されるものと同様である。主な違いは、ＵＥにおいてＬ３判定プロセスを実施して、イベントフラグをネットワークに送信する代わりに、測定γ（ｔ）にオフセットＤが適用され、調整後の測定がネットワークに送信されることである。
【００４０】
図４は、本発明の第２の実施形態における一連の動作を例示している。場合によっては、ＵＥ内においていくつかのＲＡＢまたはサービスが同時に進行しており、アドバンスドレシーバに起因する有効ＳＩＲ向上による影響が異なることがある。このような状況では、補正項Ｄとして、最小のＳＩＲ向上を選択することが望ましい。これは、最も不安定な(sensitive)サービスについて、そのニーズを組み入れることを保証し、全てのサービスについて、適切でない信号レベルの低下を回避する。フローチャート４００は、ステップ４０１から開始する。ステップ４０２において、γ（ｔ）として示される時刻ｔにおける測定が得られる。ステップ４０３では、上述のように、Ｄが決定される。次いで、ステップ４０４では、γｅｆｆ（ｔ）＝γ（ｔ）＋Ｄがネットワークに報告される。ステップ４０５において、プロセスは終了する。
【００４１】
選択肢の１つとして、本明細書に開示されるＨＯ基準γ（ｔ）としてＲＳＣＰを使用することができる。あるいは、手続きは、基準としてＣＰＩＣＨ  Ｅｃ／Ｉｏ測定を使用して実施することができる。これら代替の閾値の調整は、同じ原則に従ってもよい。
【００４２】
本発明の実施形態を適用するネットワーク内では、アドバンスドレシーバを有するＵＥによって、以下の利点を得られる。すなわち、アドバンスドレシーバをともなうＵＥにとって、ネットワーク内の各セルによる有用サービス範囲が増え、他のネットワークへの不必要なＨＯが生じる事例が回避され、ＵＥ内における並行的な測定に起因するＵＥパフォーマンスの低下および／またはシステム容量の減少が最小限に抑えられる。
【００４３】
ネットワークは、以下の利点を得る。すなわち、別のオペレータのネットワークへのローミングに起因して最初のネットワークが被る収益の損失が低減され、利用可能なネットワーク容量（すなわちオペレータのハードウェア投資）がより完全に活用され、ＨＯ通知に使用されるネットワークリソースが抑えられる。
【００４４】
当業者ならば認識できるように、本出願において説明された革新的な概念は、広範囲の応用に対応するべく変更および修正することができる。例えば、本発明は、ＷＣＤＭＡからＧＳＭへのＨＯの観点から説明されている。しかしながら、本発明は、そのような状況に限定されない。例えば、説明された閾値調整方法は、他の技術間におけるＨＯ、同じ技術を使用する２つのネットワーク間におけるＨＯ、ひいては同じネットワーク内における周波数間ハンドオーバにも適用することができる。本発明は、ネットワーク通知リソースおよび／または容量を無駄遣いするであろう不必要な測定プロセスおよびＨＯプロセスの開始を避けるのに有利であるいついかなる状況でも実装することができる。したがって、特許を受ける内容の範囲は、上述されたいかなる特定の例示的教示内容にも限定されるべきでなく、以下の特許請求の範囲によって定められる。
【符号の説明】
【００４５】
本明細書において使用される以下の略記は、以下の意味を有するものとする。
ＢＬＥＲ  ブロック誤り率、
ＢＳ  基地局、
ＣＥ  チップイコライザ、
ＣＭ  圧縮モード、
ＣＰＩＣＨ  共通パイロットチャネル、
ＤＣＣＨ  専用制御チャネル、
ＧＲＡＫＥ  一般化されたＲＡＫＥ、
ＧＳＭ  モバイル通信用のグローバルシステム、
ＨＳＤＰＡ  高速ダウンリンクパケットアクセス、
ＨＯ  ハンドオーバ、
ＩＲＡＴ  インタＲＡＴ、
Ｌ３  レイヤ３  ＲＲＣ、
ＬＭＭＳＥ  線形最小平均二乗、
ＰＤＰ  電力遅延プロファイル、
ＲＡＢ  無線アクセスベアラ、
ＲＡＴ  無線アクセス技術、
ＲＦ  無線周波数、
ＲＲＣ  無線リソース制御、
ＲＲＭ  無線リソース管理、
ＲＳＣＰ  受信信号コード電力、
ＲＳＳＩ  受信信号強度インジケータ、
ＳＨＯ  ソフトＨＯ、
ＳＩＲ  信号対干渉比、
ＳＮＲ  信号対雑音比、
ＵＥ  ユーザ機器、
ＷＣＤＭＡ  広帯域符号分割多重アクセス。
【図１】
2010505312.tif 000005
【図２】
2010505312.tif 000006
【図３】
2010505312.tif 000007
【図４】
2010505312.tif 000008
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
ネットワーク間ハンドオーバ（ＨＯ）をユーザ機器（ＵＥ）によって最適化するための方法であって、
ＨＯ測定を開始するためにネットワークによって使用される閾値τ（ｅ）を、閾値の設定に使用されたスタンダードレシーバと比べてアドバンスドレシーバの有効な改善を得るオフセットを利用することによって実際のＵＥパフォーマンスに基づいて調整するステップを含む方法。
【請求項２】
前記調整するステップは、前記閾値の設定に使用されたスタンダードレシーバと比べてアドバンスドレシーバの有効な信号対妨害比（ＳＩＲ）改善を得るデシベル表示でのオフセットを利用することによって達成される、請求項１に記載の方法。
【請求項３】
前記オフセットは、レシーバのタイプ、レシーバアンテナの数、マルチパスチャネルプロファイル、アクティブ無線リンクの数、およびＵＥ内において現在アクティブであるサービス／接続モードからなる群から選択される少なくとも１つのパラメータに基づいて算出される、請求項１または２に記載の方法。
【請求項４】
前記閾値を調整するステップは、ＨＯ基準として共通パイロットチャネル（ＣＰＩＣＨ）、受信信号コード電力（ＲＳＣＰ）、又はＥｃ／Ｉｏ値を使用する、請求項１に記載の方法。
【請求項５】
着目される任意のイベントｅ∈Ｅについて、条件：
Ｆ（ｅ，τ（ｅ），γ（ｔ））＝１
が満たされるかどうかを前記ＵＥによってチェックするステップをさらに含み、
Ｆ（）は、規定にしたがって前記イベントをトリガするための命令のセットであり、時刻ｔにおける最新のＵＥ測定は、γ（ｔ）として示され、イベントｅのための前記閾値は、τ（ｅ）として示される、請求項１に記載の方法。
【請求項６】
前記イベントｅは、２ｄであり、
【数１】
2010505312.tif 000009
前記ＵＥは、最も近いＧＳＭセルについて、ＧＳＭ  ＲＳＳＩ（ＲＸＬＥＶ）を測定するように命令される、請求項５に記載の方法。
【請求項７】
イベントｅが確立される場合、前記ＵＥによって、イベントｅを知らせるメッセージを前記ネットワークに送信するステップをさらに含む、請求項５に記載の方法。
【請求項８】
前記ネットワークによって、さらなる測定を開始させるために、又はＨＯを実施させるためにさらなる命令でＵＥに応答するステップをさらに含む、請求項７に記載の方法。
【請求項９】
前記閾値τ（ｅ）は、ＲＡＫＥレシーバのパフォーマンスに基づく、請求項５に記載の方法。
【請求項１０】
前記ＵＥによって、Ｅの中の任意のイベントがトリガされるかどうかを見分ける判定プロセスに補正項を導入することによって、改善したレシーバのパフォーマンスを組み入れるステップ：
Ｆ（ｅ，τ（ｅ）−Ｄ，γ（ｔ））＝１
をさらに含み、
現行のレシーバおよびチャネルのカテゴリｃ（ｔ）を定めて、表検索を実施し、対応する平均ＳＩＲ利得を見つけることによって、Ｄを決定するステップ：
Ｄ＝ΔＳＩＲ（ｃ（ｔ））
をさらに含むか、または、
チャネル推定値および結合加重が得られる場合、２つの瞬時ＳＩＲ値、すなわち現行の有効レシーバＳＩＲであるＳＩＲ（ｔ）と追加のＲＡＫＥレシーバＳＩＲであるＳＩＲＲＡＫＥ（ｔ）とを算出し、
前記補正項を、
Ｄ＝ＳＩＲ（ｔ）−ＳＩＲＲＡＫＥ（ｔ）
として決定することによって、Ｄを決定するステップ、
をさらに含む、請求項９に記載の方法。
【請求項１１】
ユーザ機器によって、ネットワーク間ハンドオーバ（ＨＯ）を最適化するための方法であって、
前記ユーザ機器（ＵＥ）によって、ＵＥ測定結果γ（ｔ）をネットワークに送信するステップと、
着目される任意のイベントｅ∈Ｅについて、条件：
Ｆ（ｅ，τ（ｅ），γ（ｔ））＝１
が満たされるかどうかをネットワークによって評価するステップと、
を含み、
Ｆ（）は、規定にしたがってイベントをトリガするための命令のセットであり、時刻ｔにおける最新のＵＥ測定は、γ（ｔ）として示され、イベントｅのための閾値は、τ（ｅ）として示され
さらに、前記ＵＥが、送信前に、前記閾値を設定するために使用されたスタンダードレシーバと比べてアドバンスドレシーバの有効な改善を得るオフセットを利用することによって、実際のレシーバのパフォーマンスにしたがって前記測定結果γ（ｔ）を変更するステップを含む、方法。
【請求項１２】
前記ＵＥが、受信信号コード電力（ＲＳＣＰ）値をその報告前に適切に変更するステップをさらに含む、請求項１１に記載の方法。
【請求項１３】
さらに、前記ＵＥによって、γｅｆｆ（ｔ）＝γ（ｔ）＋Ｄを報告するステップを含み、Ｄは、Ｄ＝ΔＳＩＲ（ｃ（ｔ））またはＤ＝ＳＩＲ（ｔ）−ＳＩＲＲＡＫＥ（ｔ）から選択される、請求項１２に記載の方法。
【請求項１４】
ネットワーク間ハンドオーバを最適化するための移動体通信端末であって、
ネットワーク間ハンドオーバで使用する測定結果を生成するように構成されるベースバンドプロセッサと、
閾値を設定するために使用されたスタンダードレシーバと比べてアドバンスドレシーバの有効な改善を得るオフセットを利用することによって、実際のレシーバのパフォーマンスに基づいてハンドオーバ測定を開始するために、ネットワークにより用いられる閾値を調整するように構成された制御ユニットと、
前記調整された閾値の測定結果を比較するように構成された判定プロセッサと、
を含む移動通信端末。
【請求項１５】
ネットワーク間ハンドオーバを最適化するための移動体通信端末であって、
ネットワーク間ハンドオーバで使用する測定結果を生成するように構成されるベースバンドプロセッサと、
ハンドオーバ測定を開始するために、ネットワークにより用いられる閾値を設定するために使用されたスタンダードレシーバと比べてアドバンスドレシーバの有効な改善を得るオフセットを利用することによって、実際の端末レシーバのパフォーマンスに基づく前記測定結果を変更するように構成された制御ユニットと、
ネットワークへの判定プロセッサによって、ネットワークに変更された測定結果を送信するように構成されたフロンドエンドトランスミッタと、
を含む移動通信端末。
【国際調査報告】
2010505312.tif 000010
2010505312.tif 000011